(57)【要約】【課題】建設資材において、従来製品よりも製造コストを低く抑えつつ、同等の遮熱性や透湿性を確保することのできる手段を提供すること。【解決手段】建設資材に、遮熱機能を付与するための方法であって、前記建設資材の表面の一部または全部に、１種以上の金属粉末を含んだ塗料またはインクを塗布または印刷して反射部を形成する工程を少なくとも含んでなる。【選択図】図１
2016211192.tif 000002
【特許請求の範囲】
【請求項１】
壁材または野地板と、断熱層との間に通気層を確保するための通気スペーサであって、
前記通気スペーサの表面の一部または全部に、１種以上の金属粉末を含んだ塗料またはインクを塗布または印刷してなる反射部を有することを特徴とする、
通気スペーサ。
【請求項２】
前記１種以上の金属粉末が、アルミニウム粉末を含むことを特徴とする、請求項１に記載の通気スペーサ。
【請求項３】
前記本体部が、段ボール紙であることを特徴とする、請求項１または２に記載の通気スペーサ。
【請求項４】
前記通気スペーサの表面にスリットを設けたことを特徴とする、請求項１乃至３のうち何れか１項に記載の通気スペーサ。
【請求項５】
建設資材に、遮熱機能を付与するための方法であって、
前記建設資材の表面の一部または全部に、１種以上の金属粉末を含んだ塗料またはインクを塗布または印刷して反射部を形成する工程を少なくとも含む、
建設資材への遮熱機能の付与方法。
【請求項６】
請求項１乃至４のうち何れか１項に記載の通気スペーサ、もしくは請求項５に記載の方法で得る建設資材を用いた、建築物の遮熱構造。
【発明の詳細な説明】
【技術分野】
【０００１】
本発明は、通気スペーサ、建設資材への遮熱機能の付与方法、および建築物の遮熱構造に関する。
【背景技術】
【０００２】
従来、木造住宅は、屋根裏の熱で天井板が熱くなり、この天井板からの輻射熱で室内の温度が上昇し、冷房効果が減ずるという問題がある。
【０００３】
この問題を解決するために、本出願人は、野地板と断熱層との間に通気層を確保するための通気スペーサ（特許文献１を参照）として、段ボール紙の片面に金属蒸着層を設けた不織布を貼り合わせたものを開発した（特許文献２参照）。
この通気スペーサは、金属蒸着層を設けた不織布により、透湿性を阻害しない程度で遮熱機能を得られる点で、有益性がある。
【先行技術文献】
【特許文献】
【０００４】
【特許文献１】特許第５４７７９９０号公報
【特許文献２】特許第５３０１２１３号公報
【発明の概要】
【発明が解決しようとする課題】
【０００５】
しかし、上記従来の通気スペーサは、基材となる段ボール紙に、金属蒸着層となる不織布等を別途設ける工程が必要となり、製造コストの圧縮に限度があった。
【０００６】
そこで、本発明は、従来製品よりも製造コストを低く抑えつつ、十分な遮熱性および透湿性を確保することのできる手段の提供を目的とするものである。
【課題を解決するための手段】
【０００７】
上記の課題を解決すべくなされた本願の第１発明は、壁材または野地板と、断熱層との間に通気層を確保するための通気スペーサであって、前記通気スペーサの表面の一部または全部に、１種以上の金属粉末を含んだ塗料またはインクを塗布または印刷してなる反射部を有することを特徴とする、通気スペーサを提供する。
また、本願の第２発明は、前記第１発明において、前記１種以上の金属粉末が、アルミニウム粉末を含むことを特徴とする。
また、本願の第３発明は、前記第１または第２発明において、前記本体部が、段ボール紙であることを特徴とする。
また、本願の第４発明は、前記第１乃至第３発明のうち何れか１つの発明において、前記通気スペーサの表面にスリットを設けたことを特徴とする。
また、本願の第５発明は、建設資材に、遮熱機能を付与するための方法であって、前記建設資材の表面の一部または全部に、１種以上の金属粉末を含んだ塗料またはインクを塗布または印刷して反射部を形成する工程を少なくとも含む、建設資材への遮熱機能の付与方法を提供する。
また、本願の第６発明は、前記第１乃至第４発明のうち何れか１つの発明に記載の通気スペーサ、もしくは前記第５発明に記載の方法で得る建設資材を用いた、建築物の遮熱構造を提供する。
【発明の効果】
【０００８】
本発明によれば、以下に記載する効果のうち、少なくとも何れか１つを有する。
（１）不織布を使用する必要がなくなる。
金属蒸着層を構成する不織布等を設けずとも、遮熱機能を付与することができ、製造コストの圧縮に寄与する。
（２）遮熱性と透湿性と強度との制御が可能である。
建設資材の表面に対する反射部の占める割合や、別途設けるスリットの数を調整することにより、遮熱性と透湿性のバランスや、強度とのバランスを任意に制御することができる。
【図面の簡単な説明】
【０００９】
【図１】本発明に係る通気スペーサの概略斜視図。
【図２】本発明に係る通気スペーサの概略断面図。
【図３】遮熱機能等の比較結果を示す表。
【発明を実施するための形態】
【００１０】
＜１＞全体構成。
本発明は、建設資材に、遮熱機能を付与するための方法であって、前記建設資材の表面の一部または全部に、１種以上の金属粉末を含んだ塗料またはインクを塗布または印刷して反射部を形成する工程を少なくとも含んでなる。
【００１１】
＜２＞建設資材。
建設資材は、１つ以上の面状体から構成する、建設用途に用いる部材である。
建設資材の一例としては、壁材または野地板と、断熱層との間に通気層を確保するための通気スペーサなどがある。
建設資材の素材には、紙、木、その他の材料が含まれる。
【００１２】
＜３＞反射部。
反射部は、前記建設資材に遮熱機能を付与するための要素である。
反射部は、１種以上の金属粉末を含んだ塗料またはインクを、前記１つ以上の面状体のうち少なくとも何れか１つの面状体の表面の一部または全部に対して、塗布または印刷することにより形成する。
【００１３】
＜３．１＞塗料またはインクの一例。
塗料またはインクには、金属粉末を含む水性のフレキソインキなどを用いることができる。
金属粉末には、公知の金属材料を採用することができ。例えば、銀色面の反射部を形成する場合には、アルミニウムを用いることができる。
【００１４】
＜３．２＞反射部の形成領域。
塗料またはインクによる塗布または印刷を行う領域は、前記建設資材の表面の全面に形成してもよいし、一部に形成してもよい。ただし、遮熱機能が所望の基準を満たす範囲に限る。
反射部を設けた領域または該反射部を設けない領域、或いはそれらの組合せによって、本製品の意匠性の向上や、本製品を屋根の勾配に応じて切断する際の基準線の表示や、商品名や会社名などの商品表示などを行うこともできる。
【００１５】
＜３．３＞反射部の形成方法。
反射部の形成方法には、以下の方法を用いることができる。
（１）塗布による方法。
塗料による塗布作業は、刷毛やローラー・スプレーなどによって、人力または機械作業で実施する。なお、塗装には、蒸着も含まれる。
【００１６】
（２）印刷による方法。
インクによる印刷作業は、印刷機（シルク印刷・パット印刷）を用いて実施する。なお、印刷には転写も含まれる。
【００１７】
（３）多層構造による形成。
前記反射部は、前記塗布または印刷工程において、同一または異なる塗料またはインクを、下塗りしてから上塗りするように、複数工程を繰り返して多層構造としてもよい。
【００１８】
＜４＞その他の構成。
反射部の上面には別途保護部を設けてもよい。
保護部は、ワニスなどの一般的なクリアコート剤を用いることができ、前記した塗布または印刷による方法で形成することができる。
また、保護部も、反射部と同様、同一または異なる塗料またはインクを、下塗りしてから上塗りするように、複数工程を繰り返して多層構造としてもよい。
【実施例１】
【００１９】
木造住宅において、野地板と断熱層との間に通気層を確保するための通気スペーサに、本発明を適用した場合の実施例について、図１，２を参照しながら説明する。
＜１＞通気スペーサの全体形状。
図１に示す通気スペーサは、方形を呈する１つの面状体Ａで構成する。
面状体Ａは、基部Ａ１と、基部Ａ１のうち対向する両側端に設けた折り曲げ部Ａ２と、前記折り曲げ部Ａ１２の連続性を維持したまま、折り返し可能な前記折り曲げ部Ａ１２の内部に設けた折り返し部Ａ１３とからなる。
【００２０】
＜２＞面状体。
面状体Ａには、クラフト紙からなる段ボール１０を用いている。
図２に示すように、本実施例に係る段ボール１０は、いわゆる両面段ボールであり、中芯１１と、中芯１２の段頂に貼り合わせたライナー１２ａ、１２ｂとからなる。
このうち、後述する反射部Ｂを設ける側のライナー１２ｂに、公知の白ライナーを用いると、反射性能の向上や、塗料またはインクの付着性に優れる点で好ましい。
【００２１】
＜３＞面状体への表面加工。
本実施例では、面状体Ａの屋外側の全面（うら面）に、反射部Ｂと保護層Ｃを設けている。
反射部Ｂは、該うら面に近い側から順に、下塗り層および上塗り層で構成する。
保護部Ｃは、該反射部を被覆するトップコート層で構成する。
各部の塗料またはインクの種類は、水性のフレキソインキを用いている。
各部の塗料またはインクを、以下の表１に示す。
［表１］
2016211192.tif 000003
【００２２】
＜４＞各部の概要。
次に、各部の形成に用いる塗料またはインクの概要について説明する。
【００２３】
＜４．１＞反射部の組成例。
反射部Ｂを構成する塗料またはインクとして用いたシルバーインキの組成例を、以下の表２に示す。
［表２］
2016211192.tif 000004
【００２４】
＜４．２＞保護部の組成例。
保護部Ｃを構成する塗料またはインクとして用いたワニスの組成例を、以下の表３に示す。
［表３］
2016211192.tif 000005
【００２５】
＜５＞機能比較。
本発明を適用した通気スペーサ等について、同一条件で透湿性能や遮熱性能を測定した結果を図３に示す。
ケース１は本発明に係る構成、ケース２は従来の不織布による金属蒸着層を設けた構成、ケース３はクラフト紙のみの構成による測定結果である。
【００２６】
図３に示すように、ケース１は、ケース２，３と比較して透湿係数が高いため、透湿性能で劣るものの、一般的な木造住宅で必要とされる透湿性能を確保していることがわかる。
また、ケース１は、ケース２，３と比較して、日照反射率や放射率試験の値が向上しており、遮熱機能に優れていることがわかる。
【実施例２】
【００２７】
本発明は、製品全体の強度が所望の条件を確保出来る範囲内で、面状体Ａを貫通したり、面状体の厚さよりも薄く切り込んだりして形成するスリットを設けた構成も含まれる（図示せず）。
このスリットを設ける箇所は、反射部Ｂを設けた領域でも良いし、反射部Ｂを設けていない領域であっても良い。このスリットを設けることで、さらに透湿性の調整が可能となる。
【符号の説明】
【００２８】
Ａ      面状体
Ａ１    基部
Ａ２    折り曲げ部
Ａ３    折り返し部
Ｂ      反射部
Ｃ      保護部
１０    段ボール
１１    中芯
１２ａ  ライナー
１２ｂ  ライナー
２０ａ  下塗り部
２０ｂ  上塗り部
３０    トップコート層
【図１】
2016211192.tif 000006
【図２】
2016211192.tif 000007
【図３】
2016211192.tif 000008